(57)【要約】【課題】  基地局間を移動ノードが高速に移動した場合においても高品位なハンドオーバー機能を提供すること、重要な通信を行っている場合には高品位なハンドオーバー処理を実現することを可能とする。【解決手段】  移動端末と、当該移動端末が通信を行う複数の基地局を含む通信システムであって、移動端末の移動状況情報と通信状況情報に基づいて、移動端末が通信を行う基地局を選択する手段と、選択した基地局に対して移動端末宛の通信データを同報処理する手段とを備える。【選択図】  図１
2010288029.tif 000002
【特許請求の範囲】
【請求項１】
移動端末と、当該移動端末が通信を行う複数の基地局を含む通信システムであって、
前記移動端末の移動状況情報と通信状況情報に基づいて、前記移動端末が通信を行う基地局を選択する手段と、
選択した前記基地局に対して前記移動端末宛の通信データを同報処理する手段と、を備える移動管理装置を含むことを特徴とする通信システム。
【請求項２】
前記移動管理装置が、選択した前記基地局の数の分、前記移動端末宛の通信データを複製処理する手段を備えることを特徴とする請求項１に記載の通信システム。
【請求項３】
前記基地局を選択する手段は、前記移動端末の移動状況情報に基づいて、前記移動端末が高速移動している場合、同報する前記基地局の選択数を多くし、前記移動のノードが低速移動している場合、同報する基地局の選択数を少なくすることを特徴とする請求項１又は請求項２に記載の通信システム。
【請求項４】
前記基地局を選択する手段は、前記移動端末の通信状況情報に基づいて、前記移動端末が重要度の高い通信を行っている場合、同報する前記基地局の選択数を多くし、前記移動端末が重要度の低い通信を行っている場合、同報する前記基地局の選択数を少なくすることを特徴とする請求項１から請求項３の何れかに記載の通信システム。
【請求項５】
互いに接続された異なるネットワークにそれぞれ前記移動管理装置を備え、前記移動管理装置間で、前記移動管理装置配下の前記基地局に関する情報と、前記移動端末の前記移動状況情報と通信状況情報を互いに通知することを特徴とする請求項１から請求項４の何れかに記載の通信システム。
【請求項６】
一方の前記移動管理装置で、他方の前記移動管理装置配下の基地局に同報処理を行うことが高品位なハンドオーバーに効果的であると判断した場合に、一方の前記移動管理装置が、前記移動端末の移動状況情報と通信状況情報を他方の前記移動管理装置に通知すると共に、他方の前記移動管理装置配下の基地局へデータの同報処理を行う指示信号を送信することを特徴とする請求項５に記載の通信システム。
【請求項７】
前記移動管理装置が、前記指示信号に対し、前記指示信号を受けるか否かを判断する手段を備えることを特徴とする請求項６に記載の通信システム。
【請求項８】
前記指示信号を受けるか否かを判断する手段は、自ネットワークのユーザの稼動状況情報と、前記移動端末の移動状況情報及び通信状況情報に基づき、前記指示信号を受けるか否かの判断を行うことを特徴とする請求項７に記載の通信システム。
【請求項９】
前記指示信号を受けるか否かを判断する手段は、前記指示信号を受けるか否かの判断結果を、前記指示信号を送信した前記移動管理装置に応答送信することを特徴とする請求項７又は請求項８に記載の通信システム。
【請求項１０】
前記移動管理装置が、前記移動端末の移動状況情報と通信状況情報の少なくとも一方の情報に基づいて、前記移動端末の移動先の基地局を高精度に予測し、予測した前記基地局に対してデータを同報処理することを特徴とする請求項１又は請求項２に記載の通信システム。
【請求項１１】
移動端末の移動状況情報と通信状況情報に基づいて、前記移動端末が通信を行う基地局を選択する手段と、
選択した前記基地局に対して前記移動端末宛の通信データを同報処理する手段と、を備えることを特徴とする移動管理装置。
【請求項１２】
前記移動管理装置は、選択した前記基地局の数の分、前記移動端末宛の通信データを複製処理する手段を備えることを特徴とする請求項１１に記載の移動管理装置。
【請求項１３】
前記基地局を選択する手段は、前記移動端末の移動状況情報に基づいて、前記移動端末が高速移動している場合、同報する前記基地局の選択数を多くし、前記移動のノードが低速移動している場合、同報する基地局の選択数を少なくすることを特徴とする請求項１１又は請求項１２に記載の移動管理装置。
【請求項１４】
前記基地局を選択する手段は、前記移動端末の通信状況情報に基づいて、前記移動端末が重要度の高い通信を行っている場合、同報する前記基地局の選択数を多くし、前記移動端末が重要度の低い通信を行っている場合、同報する前記基地局の選択数を少なくすることを特徴とする請求項１１から請求項１３の何れかに記載の移動管理装置。
【請求項１５】
一方の前記移動管理装置で、他方の前記移動管理装置配下の基地局に同報処理を行うことが高品位なハンドオーバーに効果的であると判断した場合に、一方の前記移動管理装置が、前記移動端末の移動状況情報と通信状況情報を他方の前記移動管理装置に通知すると共に、他方の前記移動管理装置配下の基地局へデータの同報処理を行う指示信号を送信し、前記指示信号に対し、前記指示信号を受けるか否かを判断する指示信号受付制御部を備えることを特徴とする請求項１１又は請求項１２に記載の移動管理装置。
【請求項１６】
前記指示信号受付制御部は、自ネットワークのユーザの稼動状況情報と、前記移動端末の移動状況情報及び通信状況情報に基づき、前記指示信号を受けるか否かの判断を行うことを特徴とする請求項１５に記載の移動管理装置。
【請求項１７】
前記指示信号受付制御部は、前記指示信号を受けるか否かの判断結果を、前記指示信号を送信した前記移動管理装置に応答送信することを特徴とする請求項１５又は請求項１６に記載の移動管理装置。
【請求項１８】
前記移動端末の移動状況情報と通信状況情報の少なくとも一方の情報に基づいて、前記移動端末の移動先の基地局を高精度に予測し、予測した前記基地局に対してデータを同報処理することを特徴とする請求項１１又は請求項１２に記載の移動管理装置。
【請求項１９】
移動端末と、当該移動端末が通信を行う複数の基地局を含む通信システムの通信方法であって、
前記移動端末の移動状況情報と通信状況情報に基づいて、前記移動端末が通信を行う基地局を選択し、
選択した前記基地局に対して前記移動端末宛の通信データを同報処理することを特徴とする通信方法。
【請求項２０】
前記同報処理において、選択した前記基地局の数の分、前記移動端末宛の通信データを複製処理することを特徴とする請求項１９に記載の通信方法。
【請求項２１】
前記基地局の選択において、前記移動端末の移動状況情報に基づいて、前記移動端末が高速移動している場合、同報する前記基地局の選択数を多くし、前記移動のノードが低速移動している場合、同報する基地局の選択数を少なくすることを特徴とする請求項１９又は請求項２０に記載の通信方法。
【請求項２２】
前記基地局の選択において、前記移動端末の通信状況情報に基づいて、前記移動端末が重要度の高い通信を行っている場合、同報する前記基地局の選択数を多くし、前記移動端末が重要度の低い通信を行っている場合、同報する前記基地局の選択数を少なくすることを特徴とする請求項１９から請求項２１の何れかに記載の通信方法。
【請求項２３】
互いに接続された異なるネットワークにそれぞれ前記基地局の選択と通信データの同報を行う移動管理装置を備え、前記移動管理装置間で、前記移動管理装置配下の前記基地局に関する情報と、前記移動端末の前記移動状況情報と通信状況情報を互いに通知することを特徴とする請求項１９から請求項２２の何れかに記載の通信方法。
【請求項２４】
一方の前記移動管理装置で、他方の前記移動管理装置配下の基地局に同報処理を行うことが高品位なハンドオーバーに効果的であると判断した場合に、一方の前記移動管理装置が、前記移動端末の移動状況情報と通信状況情報を他方の前記移動管理装置に通知すると共に、他方の前記移動管理装置配下の基地局へデータの同報処理を行う指示信号を送信することを特徴とする請求項２３に記載の通信方法。
【請求項２５】
前記指示信号に対し、前記指示信号を受けるか否かを判断するステップを有することを特徴とする請求項２４に記載の通信方法。
【請求項２６】
前記指示信号を受けるか否かを判断するステップで、自ネットワークのユーザの稼動状況情報と、前記移動端末の移動状況情報及び通信状況情報に基づき、前記指示信号を受けるか否かの判断を行うことを特徴とする請求項２５に記載の通信方法。
【請求項２７】
前記指示信号を受けるか否かを判断するステップで、前記指示信号を受けるか否かの判断結果を、前記指示信号を送信した前記移動管理装置に応答送信することを特徴とする請求項２５又は請求項２６に記載の通信方法。
【請求項２８】
前記移動端末の移動状況情報と通信状況情報の少なくとも一方の情報に基づいて、前記移動端末の移動先の基地局を高精度に予測し、予測した前記基地局に対してデータを同報処理することを特徴とする請求項１９又は請求項２０に記載の通信方法。
【請求項２９】
コンピュータに、
移動端末の移動状況情報と通信状況情報に基づいて、前記移動端末が通信を行う基地局を選択する処理と、
選択した前記基地局に対して前記移動端末宛の通信データを同報処理する処理と、を実行させることを特徴とするプログラム。
【請求項３０】
前記コンピュータに、
選択した前記基地局の数だけ、前記移動端末宛の通信データを複製する処理を実行させることを特徴とする請求項２９に記載のプログラム。
【請求項３１】
前記基地局を選択する処理において、前記移動端末の移動状況情報に基づいて、前記移動端末が高速移動している場合、同報する前記基地局の選択数を多くし、前記移動のノードが低速移動している場合、同報する基地局の選択数を少なくすることを特徴とする請求項２９又は請求項３０に記載のプログラム。
【請求項３２】
前記基地局を選択する処理において、前記移動端末の通信状況情報に基づいて、前記移動端末が重要度の高い通信を行っている場合、同報する前記基地局の選択数を多くし、前記移動端末が重要度の低い通信を行っている場合、同報する前記基地局の選択数を少なくすることを特徴とする請求項２９から請求項３１の何れかに記載のプログラム。
【請求項３３】
前記コンピュータに、
一方の前記移動管理装置で、他方の前記移動管理装置配下の基地局に同報処理を行うことが高品位なハンドオーバーに効果的であると判断した場合に、一方の前記移動管理装置が、前記移動端末の移動状況情報と通信状況情報を他方の前記移動管理装置に通知すると共に、他方の前記移動管理装置配下の基地局へデータの同報処理を行う指示信号を送信し、前記指示信号に対し、前記指示信号を受けるか否かを判断する処理を実行させることを特徴とする請求項２９又は請求項３０に記載のプログラム。
【請求項３４】
前記指示信号を受けるか否かを判断する処理において、自ネットワークのユーザの稼動状況情報と、前記移動端末の移動状況情報及び通信状況情報に基づき、前記指示信号を受けるか否かの判断を行うことを特徴とする請求項３３に記載のプログラム。
【請求項３５】
記指示信号を受けるか否かを判断する処理において、前記指示信号を受けるか否かの判断結果を、前記指示信号を送信した前記移動管理装置に応答送信することを特徴とする請求項３３又は請求項３４に記載のプログラム。
【請求項３６】
前記コンピュータに、
前記移動端末の移動状況情報と通信状況情報の少なくとも一方の情報に基づいて、前記移動端末の移動先の基地局を高精度に予測し、予測した前記基地局に対してデータを同報する処理を実行させることを特徴とする請求項２９又は請求項３０に記載のプログラム。
【請求項３７】
自端末の移動状況情報と通信状況情報を収集する手段と、
移動端末の移動状況情報と通信状況情報に基づいて、前記移動端末が通信を行う基地局を選択する手段と、選択した前記基地局に対して前記移動端末宛の通信データを同報処理する手段とを備える移動管理装置に対して、収集した前記情報を通知する手段と、
前記基地局から同報送信されて受信したデータの整合処理を行う手段を備えることを特徴とする移動端末。
【発明の詳細な説明】
【技術分野】
【０００１】
本発明は、高品位なハンドオーバーを可能にする通信システム、移動管理装置、通信方法、及び通信プログラムに関する。
【背景技術】
【０００２】
近年、３Ｇセルラーシステムに代表される移動通信システムでは、電波不感地域の解消、あるいは細やかなサービスエリアの拡大などの利点があるため、フェムトセルのようなセル半径の小さい基地局を用いた通信が重要な技術となっている。
【０００３】
図１３に、関連技術による移動通信システムの構成例を示す。
【０００４】
図１３を参照すると、移動通信システムは、端末１００、基地局２０１、２０４、２０８、２１３、及び２１７、基地局制御装置３００、移動管理装置４００から構成される。通信相手がネットワーク５００を介して接続され、端末１００と通信相手との通信が実現される。
【０００５】
ここで、端末１００は、移動ノードであり、電源オンした後に、アタッチ処理、位置登録処理、通信ベアラ確立処理を行った後に、通信相手端末と通信セッションを確立し、データ通信を開始する機能を司る。基地局２０１、２０４、２０８、２１３、及び２１７は、端末とコアネットワークのエッジに位置し、端末との無線通信のインタワーク機能を司る。
【０００６】
基地局制御装置３００は、基地局を制御する機能を司る。また、移動管理装置４００は、端末１００の位置を管理し、端末１００への転送データを端末１００の移動に合わせ、適切な送付先へ送信する機能を司る。ネットワーク５００は、移動通信システムと通信相手を接続している。
【０００７】
バイキャスト機能を用いて高品位なハンドオーバーを実現する方法としては、端末１００の移動に合わせて、隣接する基地局へデータをバイキャストする方法が存在する。
【０００８】
図１４に、バイキャストによる方法の内容を説明するシーケンス図を示す。移動管理装置４００は、端末１００の存在する基地局と隣接する基地局へデータをバイキャストすることにより、端末１００が移動した場合のハンドオーバーにおいて、通信断の発生頻度を低減させ、性能の向上を実現する。
【０００９】
上述したバイキャスト機能に関連する技術については複数提案されており、例えば特許文献１には、端末の移動速度に応じてハンドオーバー先のリソースを事前に予約する技術が開示されている。また、特許文献２には、端末の移動速度に応じて基地局数を増減させる技術等が開示されている。
【先行技術文献】
【特許文献】
【００１０】
【特許文献１】特開２００４−２６６７１３号公報
【特許文献２】特開平１０−１９１４４４号公報
【特許文献３】特開平８−３３０３１号公報
【特許文献４】特開２００７−２１３４７０号公報
【特許文献５】特開２００８−１０３８６５号公報
【発明の概要】
【発明が解決しようとする課題】
【００１１】
しかし、上述したバイキャスト機能を用いて、フェムトセルに代表されるセル半径の小さい基地局とのハンドオーバー処理を行う場合、移動ノードが高速に移動すると通信する基地局が非連続になるケースも想定され、隣接セルのバイキャストのみでは端末の高速移動には追従できず、ハンドオーバー品質が劣化するという問題がある。
【００１２】
また、ハンドオーバー処理は通信の重要度に関わらず画一的に実施されるため、重要な通信においても通信断絶を引き起こし、ミッションクリティカルな通信における高品位な通信が実現できないという問題もある。
【００１３】
（発明の目的）
本発明の目的は、基地局間を移動ノードが高速に移動した場合においても高品位なハンドオーバー機能を提供すること、重要な通信を行っている場合には高品位なハンドオーバー処理を実現することである。
【課題を解決するための手段】
【００１４】
本発明の第１の通信システムは、移動端末と、当該移動端末が通信を行う複数の基地局を含む通信システムであって、移動端末の移動状況情報と通信状況情報に基づいて、移動端末が通信を行う基地局を選択する手段と、選択した基地局に対して移動端末宛の通信データを同報処理する手段と、を備える移動管理装置を含む。
【００１５】
本発明の第２の移動管理装置は、移動端末の移動状況情報と通信状況情報に基づいて、移動端末が通信を行う基地局を選択する手段と、選択した基地局に対して移動端末宛の通信データを同報処理する手段と、を備える。
【００１６】
本発明の第３の通信方法は、移動端末と、当該移動端末が通信を行う複数の基地局を含む通信システムの通信方法であって、移動端末の移動状況情報と通信状況情報に基づいて、移動端末が通信を行う基地局を選択し、選択した基地局に対して移動端末宛の通信データを同報処理する。
【００１７】
本発明の第４のプログラムは、コンピュータに、移動端末の移動状況情報と通信状況情報に基づいて、移動端末が通信を行う基地局を選択する処理と、選択した基地局に対して移動端末宛の通信データを同報処理する処理と、を実行させる。
【００１８】
本発明の第５の移動端末は、自端末の移動状況情報と通信状況情報を収集する手段と、移動端末の移動状況情報と通信状況情報に基づいて、移動端末が通信を行う基地局を選択する手段と、選択した基地局に対して移動端末宛の通信データを同報処理する手段とを備える移動管理装置に対して、収集した情報を通知する手段と、基地局から同報送信されて受信したデータの整合処理を行う手段を備える。
【発明の効果】
【００１９】
本発明によれば、基地局間を移動ノードが高速に移動した場合においても高品位なハンドオーバー機能を提供すること、重要な通信を行っている場合には高品位なハンドオーバー処理を実現すること、が可能である。
【図面の簡単な説明】
【００２０】
【図１】本発明の第１の実施の形態に係る移動通信システムのブロック図である。
【図２】第１の実施の形態に係る移動通信システムの処理シーケンス図である。
【図３】第１の実施の形態に係る端末の基本動作を示すフローチャートである。
【図４】第１の実施の形態に係る移動管理装置の基本動作を示すフローチャートである。
【図５】第１の実施の形態における同報する基地局エリアの設定例である。
【図６】本発明の第２の実施の形態に係る移動通信システムのブロック図である。
【図７】第２の実施の形態に係る移動通信システムの処理シーケンス図である。
【図８】第２の実施の形態に係る移動管理装置の基本動作を示すフローチャートである。
【図９】第２の実施の形態に係る指示信号受付制御部の基本動作を示すフローチャートである。
【図１０】本発明の第３の実施の形態に係る移動通信システムの処理シーケンス図である。
【図１１】第３の実施の形態に係る移動管理装置の基本動作を示すフローチャートである。
【図１２】第３の実施の形態に係る端末における移動状況情報及び通信状況情報の収集例。
【図１３】関連技術による移動通信システムの構成例を示すブロック図である。
【図１４】関連技術による移動通信システムの処理シーケンス図である。
【発明を実施するための形態】
【００２１】
次に、本発明の実施の形態について図面を参照して詳細に説明する。
【００２２】
（第１の実施の形態）
図１は、本発明の第１の実施の形態による移動通信システムの構成を示すブロック図である。図１を参照すると、第１の実施の形態に係る移動通信システムは、無線通信を行う端末１、端末１が通信を行う複数のエリアに設置された複数の基地局（無線基地局）２０１〜２１０、基地局制御装置３、移動管理装置４、及びネットワーク５を備えている。
【００２３】
端末１は、携帯電話機や携帯通信端末等の移動ノードであり、電源オンした後に、アタッチ処理、位置登録処理、通信ベアラ確立処理を行い、それらの処理完了後に通信相手端末と通信セッションを確立し、データ通信を開始する機能を司る。
【００２４】
端末１は、データ送受信部１０１、同報データ処理部１０２、端末情報収集部１０３、及び端末情報通知部１０４を有する。
【００２５】
データ送受信部１０１は、通信相手から基地局を経由して送信されたデータを受信、または端末から通信相手へ送るデータを基地局へ送信する処理を行う機能を有する。
【００２６】
同報データ処理部１０２は、移動管理装置４から同報処理されたデータを受信した際に、同一（冗長）のデータを受信した場合、冗長のデータの廃棄や受信したデータの順序制御（整合処理）を行う機能を有する。
【００２７】
端末情報収集部１０３は、端末１の移動状況情報（移動速度情報）と、端末１の通信状況情報（通信の重要度情報）を収集し、保存する。これらの情報収集処理は、定期的に実施することも可能であり、また端末主導あるいはネットワーク主導で任意の時刻に実施することも可能である。
【００２８】
端末１の移動速度については、基地局２０１〜２１０側で検出してもよいし、端末１側で検出してもよい。
【００２９】
例えば、移動端末の移動速度を基地局（無線基地局）側で検出する方法としては、受信電界の検出値を利用して速度検出を行う方法（例えば、特許文献３参照）や、端末１から送信されるＧＰＳ等による位置情報の時間変化に基づいて速度を検出する方法等が考えられる。この場合、端末情報収集部１０３は、基地局２０１〜２１０側で検出した端末１の移動速度を基地局２０１〜２１０からの通知によって収集する。
【００３０】
また、端末１がＧＰＳ等による自身の位置情報の時間変化に基づいて移動速度を検出することも可能であり、この場合は、端末情報収集部１０３は、自身の端末１で検出した移動速度を取得する。
【００３１】
通信の重要度情報については、端末１によって実行する通信の種類毎に、重要度の高い通信であるか、重要度の低い通信であるかを設定する場合が考えられる。
【００３２】
この重要度情報は、端末１のユーザが設定してもよいし、基地局２０１〜２１０側でオペレータが端末毎に通信の重要度情報を設定してもよい。
【００３３】
例えば、リアルタイムな通信を必要とするアプリケーションによる通信を高重要度の通信と設定したり、通信課金がかかる通信を高重要度の通信と設定する場合等が考えられる。
【００３４】
通信の重要度についても、高低の２段階だけでなく、さらに細かなレベルに設定することも可能である。例えば、重要度のレベルを５段階に分け、最も重要度の高い通信をレベル５とし、最も重要度の低い通信をレベル１とする場合等が考えられる。
【００３５】
端末情報通知部１０４は、端末情報収集部１０３で収集した移動状況情報と通信状況情報を移動管理装置４へ向けて送信する。この情報通知処理は、定期的に実施することも可能であり、また端末主導あるいはネットワーク主導で任意の時刻に実施することも可能である。
【００３６】
移動管理装置４は、端末１が移動するたびごとに位置登録の処理を行う装置である。また、移動管理装置４は、端末１の移動状況情報（移動速度情報）と通信状況情報（通信の重要度情報）を受信し、それらの情報に従って、端末宛データを同報するエリア範囲を調節する機能を有する。
【００３７】
具体的には、移動管理装置４は、端末１が高速で移動している場合には同報エリアを拡大し、低速で移動している場合には同報エリアを縮小する。また、端末１が重要な通信を行っている場合には同報エリアを拡大し、あまり重要ではない通信を行っている場合には同報エリアを縮小する。
【００３８】
移動管理装置４は、端末情報受信部４０１、端末情報保存部４０２、同報エリア制御部４０３、同報処理部４０４、及びデータ転送部４０５を有する。
【００３９】
端末情報受信部４０１は、端末１から送信された情報（移動状況情報と通信状況情報）を受信し、受信した情報を端末情報保存部４０２に保存する機能を有する。
【００４０】
同報エリア制御部４０３は、端末情報保存部４０２に保存された端末の移動状況情報及び通信状況情報に応じて、通信データを同報処理する基地局を選択し、選択結果を基地局選択情報として同報処理部４０４へ通知する機能を有する。
【００４１】
同報処理部４０４は、同報エリア制御部４０３からの基地局選択情報を元に、転送データを同報処理させるためのデータ複製処理を行う機能を有する。
【００４２】
データ転送部４０５は、端末１から送信されたデータを受信して通信相手端末が存在するネットワークへ向けて転送すると共に、通信相手から送信されたデータを受信して、同報処理部４０４にて複製されたデータを基地局制御装置３へ向けて転送する処理を行う機能を有する。
【００４３】
（第１の実施の形態の動作の説明）
続いて、図２の動作シーケンス図、及び図３、図４のフローチャートを用いて、本実施の形態による移動通信システムの処理動作を説明する。
【００４４】
図２は、本実施の形態の移動通信システムにおける処理シーケンス例であり、図３は端末１の、図４は移動管理装置４のフローチャートである。
【００４５】
端末１は、電源をオンした後に、アタッチ処理、位置登録処理、通信ベアラ確立処理が実施され、通信相手との通信セッションを確立する（ステップＳ３０１）。  
【００４６】
次に、端末１は、現在の端末１が高速移動中あるいは低速移動中といった移動状況情報、及び重要な通信中あるいは重要でない通信中といった通信状況情報を端末情報収集部１０３で収集し（ステップＳ３０２）、情報を移動管理装置４へ通知する（ステップＳ３０３）。通知された端末１の移動状況情報と通信状況情報を、移動管理装置４の端末情報受信部４０１が受信する。
【００４７】
なお、この移動状況情報及び通信状況情報は、特に情報構成上の制限はなく、柔軟な情報構成をとることも可能である。また、送信タイミングは、定期的に送信を行うことも可能であり、あるいは、端末またはネットワーク主導のイベントドリブンで送信することも可能である。
【００４８】
図２の例では、最初、端末１が低速移動中かつ非重要通信中であることを移動管理装置４へ通知し、移動管理装置４は端末１から通知された移動状況情報と通信状況情報に従い、同報エリア範囲が「小」となるように基地局＃１〜＃３にデータを同報している。同報処理をバイキャストと呼ぶ。
【００４９】
次いで、端末１が高速移動中かつ重要通信中であることを移動管理装置４へ通知し、移動管理装置４は端末１から通知された移動状況情報と通信状況情報に従い、同報エリア範囲が「大」となるように基地局＃１〜５にデータを同報している。
【００５０】
ここで、端末１の移動状況と通信状況に応じた、同報エリア設定の例を図５に示す。なお、この同報エリア設定は一例であり、もっと精密なエリア設定や簡易なエリア設定など柔軟な設定が可能である。
【００５１】
移動管理装置４は、端末の端末情報通知部１０４から送信された移動状況情報と通信状況情報を端末情報受信部４０１で受信し、端末情報保存部４０２に保存する（ステップＳ４０１）。
【００５２】
端末情報保存部４０２に端末情報が保存されると、同報エリア制御部４０３は、移動状況情報及び通信状況情報を参照し、端末１の移動状況及び通信状況に応じて通信データを同報処理する基地局を選択し、選択結果を基地局選択情報として同報処理部４０４へ通知する（ステップＳ４０２）。
【００５３】
同報処理部４０４は、同報エリア制御部４０３からの基地局選択情報を元に、同報処理する基地局数分、端末１宛の通信データの複製処理を行う（ステップＳ４０３）。
【００５４】
データ複製処理が終了すると、データ転送部４０５は複製されたデータを基地局制御装置３へ向けて転送する処理を行う（ステップＳ４０４）。これにより、基地局制御装置３から基地局選択情報で指定された基地局へ通信データの同報処理が実行される。
【００５５】
（第１の実施の形態による効果）
本実施の形態によれば、セル半径の小さいセルで形成された移動通信システムにおいて、端末１が高速に移動した場合においても、移動状況に追従してデータ同報処理を行う基地局範囲を柔軟に調整することにより、高品位なハンドオーバー機能を提供することが可能である。
【００５６】
また、本実施の形態によれば、端末１の行っている通信の重要度に応じて、データ同報処理を行う基地局範囲を柔軟に調整することにより、高品位なハンドオーバー機能を提供することが可能である。
【００５７】
なお、第１の実施の形態では、端末１の移動状況及び通信状況に応じた同報処理を行う基地局選択を行っているが、その他の有益な情報に従い、ユーザにメリットのある高品位なハンドオーバー機能を提供する柔軟な構成をとることも可能である。
【００５８】
本実施では、無線通信メディアの種類を特に限定する必要はなく、その他の種類のメディア通信において高品位なハンドオーバー機能を提供することも可能である。
【００５９】
（第２の実施の形態）
次に、本発明の第２の実施の形態による移動通信システムについて説明する。この第２の実施の形態では、異なるプロバイダーが管理するネットワーク間のハンドオーバーにおいて、それぞれのネットワークの移動管理装置が連携し、端末情報の受け渡しを行うことで、高品位なハンドオーバーを実現する場合を示している。
【００６０】
図６は、本発明の第２の実施の形態における移動通信システムの構成を示すブロック図である。図６を参照すると、ネットワーク１側が、端末１Ａ、基地局２０１Ａ、２０２Ａ・・・、基地局制御装置３Ａ、移動管理装置４Ａを備え、ネットワーク２側が、端末１Ｂ、基地局２０１Ｂ、２０２Ｂ・・・、基地局制御装置３Ｂ、移動管理装置４Ｂを備えている。本実施の形態におけるネットワーク１、ネットワーク２のそれぞれの移動管理装置４Ａ、４Ｂは、互いに、ネットワークを介して情報を交換することができる。
【００６１】
移動管理装置４Ａ、４Ｂは、受信した指示信号に対し、指示信号を受けるか否かを判断し同報制御を行う指示信号受付制御部４０６Ａ、４０６Ｂを有する。なお、指示信号については後述する。
【００６２】
指示信号受付制御部４０６Ａ、４０６Ｂは、自ネットワークのユーザの稼動状況情報と、端末１Ａ、１Ｂの移動状況情報及び通信状況情報に基づき、指示信号を、１００％受け入れる、又は一部受け入れる、又は拒絶するという判断を行う機能を有する。
【００６３】
また、指示信号受付制御部４０６Ａ、４０６Ｂは、指示信号を受けるか否かの判断結果を、指示信号を送信した移動管理装置に応答送信する機能を有する。
【００６４】
なお、端末１Ａ、１Ｂの構成及び移動管理装置４Ａ、４Ｂのその他の構成は図１に示した第１の実施の形態と同様であるので、ここでは説明を省略する。
【００６５】
（第２の実施の形態の動作の説明）
図７の動作シーケンス図、及び図８、図９のフローチャートを用いて、本実施の形態の移動通信システムの処理動作を説明する。
【００６６】
図７は本実施の形態の移動通信システムにおける処理シーケンス例である。図８は本実施の形態における移動管理装置＃１（４Ａ）の基本動作を示したフローチャートである。また、図９は本実施の形態における指示信号受付制御部４０６Ｂの処理例を示したフローチャートである。
【００６７】
移動管理装置＃１（４Ａ）は、利用可能な異なるネットワークに存在する移動管理装置＃２（４Ｂ）との間で、それぞれが保有している基地局情報を相互に交換する（ステップＳ８０１）。端末１Ａは、移動管理装置＃１（４Ａ）配下の基地局＃１で通信を開始し、次に、移動管理装置＃１（４Ａ）に、端末１Ａの移動状況情報及び通信状況情報を通知する。
【００６８】
移動管理装置＃１（４Ａ）は、端末１Ａから移動状況情報及び通信状況情報を受信すると（ステップＳ８０２）、受け取った情報と事前に交換しておいた基地局情報を比較し（ステップＳ８０３）、移動管理装置＃２（４Ｂ）配下の基地局に同報処理を行うことが高品位なハンドオーバーを実現するために効果的であるかどうかを判断する（ステップＳ８０４）。
【００６９】
例えば、ネットワーク１の端末１Ａがネットワーク２の端末１Ｂとデータ通信を行っており、端末１Ａが高速移動中でかつ重要度の高い通信を行っている場合であれば、移動管理装置＃２（４Ｂ）配下の基地局情報から、移動管理装置＃２（４Ｂ）配下の基地局に同報処理を行うことが高品位なハンドオーバーに効果的であるかを判断することが可能である。
【００７０】
移動管理装置＃２（４Ｂ）配下の基地局に同報処理を行うことが高品位なハンドオーバーを実現するうえで有効であると判断した場合、移動管理装置＃１（４Ａ）は、受信した端末１Ａの移動状況情報と通信状況情報を移動管理装置＃２（４Ｂ）に通知すると共に、移動管理装置＃２（４Ｂ）配下の基地局へデータ同報処理を行う指示信号を移動管理装置＃２へ送信する（ステップＳ８０５）。
【００７１】
移動管理装置＃２（４Ｂ）は、移動管理装置＃１（４Ａ）から指示信号を受信すると、指示信号受付制御部４０６Ｂを使用してデータの同報制御を開始する（ステップＳ９０１）。
【００７２】
指示信号受付制御部４０６Ｂは、移動管理装置＃１（４Ａ）より通知された端末１Ａの移動状況情報と通信状況情報と、ネットワーク２のユーザの稼動状況情報に基づいて、指示信号を受け入れるか否かを、１００％受け入れる、又は一部受け入れる、又は拒絶すると判断する（ステップＳ９０２）。
【００７３】
指示信号の受け入れ判断は、例えば、端末１Ａが高速移動中かつ通信の重要度が高い場合、ネットワーク２のユーザの稼動状況が高い場合は５０％受け入れ、ネットワーク２のユーザの稼動状況が低い場合は１００％受け入れるとしたり、端末１Ａが低速移動中かつ通信の重要度が低い場合は指示信号を拒絶するとしたりすることが考えられる。
【００７４】
指示信号の受け入れ判断は上記の例に限定されず、柔軟に設定することが可能である。
【００７５】
指示信号受付制御部４０６Ｂは、指示信号の受け入れ判断をした後、その結果を移動管理装置＃１（４Ａ）へ応答送信する（ステップＳ９０３）。
【００７６】
次いで、指示信号受付制御部４０６Ｂは、指示信号を１００％受け入れる、又は一部受け入れると判断した場合（ステップＳ９０４”ＹＥＳ”）は判断に基づいた同報処理を行う（ステップＳ９０５）。
【００７７】
また、移動管理装置＃１（４Ａ）自身も、端末１Ａからの移動状況情報及び通信状況情報に基づいて、同報エリア範囲を調整しデータ同報処理を実施する。
【００７８】
図７の例では、移動通信装置＃１（４Ａ）配下の基地局＃１及び＃２、移動管理装置＃２（４Ｂ）配下の基地局＃４にデータが同報処理されていることを示している。
【００７９】
以上述べた以外の構成と動作は第１の実施の形態と同様である。
【００８０】
（第２の実施の形態による効果）
本実施の形態によれば、異なるプロバイダーが管理するネットワーク間のハンドオーバーにおいても、それぞれの保有する移動管理装置が連携し、端末情報の受け渡しを行うことで、端末の移動状況及び通信状況に応じた高品位なハンドオーバーを実現することができる。
【００８１】
本実施の形態における異なるプロバイダーが管理するネットワーク間のハンドオーバーは、それぞれの保有する移動管理装置が連携できれば、それぞれのネットワークが採用している移動管理プロトコルの異同にかかわらず実現することができる。
【００８２】
（第３の実施の形態）
次に、本発明の第３の実施の形態による移動通信システムについて説明する。この第３の実施の形態では、移動通信装置４の同報エリア制御部４０３が、高品位なハンドオーバーを実現するために、端末状況に応じてデータ同報処理を行うのみならず、端末の移動速度と移動方向から、端末の移動先基地局をピンポイントに高精度に予測することにより、非常に限定された基地局にデータ同報処理を行うことで、帯域消費を効率化した高品位なハンドオーバーを実現する場合を示している。
【００８３】
なお、端末１の構成及び移動管理装置４の構成については、図１に示した第１の実施の形態と同様であるので、ここでは説明を省略する。
【００８４】
同報エリア制御部４０３による端末の移動先基地局の予測方法としては、例えば、位置情報に基づく予測方法として、端末の位置情報の推移から端末の移動速度と移動方向を求め、次の移動先の基地局を予測する方法が考えられる。
【００８５】
端末の移動速度と移動方向については、端末１のＧＰＳ等による位置情報を周期的に収集し、端末位置の時間変化に基づいて求めることが可能である。また、先に示した特許文献３記載の方法で、受信電界の検出値を利用して端末の速度を検出し、特許文献４に開示されるような端末４から発信する電波を基地局に設けた複数のアンテナの各々で受信して複数の電波強度を測定し、測定した複数の電波強度の差の時間的変化から端末の移動方向を検出することが可能である。
【００８６】
また、通信情報としてのネットワークトポロジー情報に基づいて端末の移動速度と移動方向を予測する方法も考えられる。さらに位置情報、通信情報を組み合わせて予測する方法も可能である。
【００８７】
（第３の実施の形態の動作の説明）
図１０の動作シーケンス図及び図１１のフローチャートを用いて、本実施の形態の移動通信システムの処理動作を説明する。
【００８８】
図１０は、本実施の形態の移動通信システムにおける処理シーケンス例である。図１１は、本実施の形態における移動管理装置の基本動作を示したフローチャートである。
【００８９】
移動管理装置４は、基地局＃１で通信中の端末１から送信された端末の位置情報及び通信情報を受信し（ステップＳ１００１）、受信したこれらの情報に基づいて、例えば、上述したように端末の移動速度と移動方向を求め、端末１の一定時間経過後の移動先の基地局をピンポイントで予測する（ステップＳ１００２）。この結果、最小限の数の限定した基地局が移動先として予測されることになる。
【００９０】
ここで、端末における位置情報及び通信情報の例を図１２に示す。図１２の例では、一定周期の時刻毎に、ＧＰＳ等で得た端末の位置情報と、端末１の移動に伴って変化するトポロジー情報を収集している。これらの情報は、例えば、各基地局又は端末で収集することが可能である。
【００９１】
図１２に示した情報は、例えば基地局や端末でテーブル化して保持しておいて移動管理装置へ送信することも、あるいは基地局や端末から一定時間間隔で取得した個々の情報を送り、移動管理装置４が端末毎に情報をデータベース化して保持しておくことも可能である。
【００９２】
移動先の基地局の予測に成功した場合、移動管理装置４は、端末１が現在存在する基地局及び一定期間後の移動先として予測した基地局にデータ同報処理を行う。
【００９３】
図１０では、同報エリア制御部４０３によって、端末１が基地局＃４のエリアへ移動すると予測した場合の例を示している。よって、移動管理装置４は、端末１が基地局＃４へ移動すると予測できたため、端末１が現在存在する基地局＃１及び一定期間後の移動先である基地局＃４にデータ同報処理を行っている（ステップＳ１００４）。
【００９４】
以上述べた以外の構成と動作は第１の実施の形態と同じである。よって、予測ができなかった場合は第１の実施の形態に基づく同報処理が行われる（ステップＳ１００５）。
【００９５】
（第３の実施の形態による効果）
本実施の形態によれば、データ通信帯域消費を効率化した高品位なハンドオーバーを実現することができる。
【００９６】
また、移動端末１、移動管理装置４は、その有する機能をハードウェア的に実現することは勿論、コンピュータとプログラムとで実現することができる。プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した各実施の形態における端末、移動管理装置として機能させ、前述した処理を行わせることが可能である。
【００９７】
以上好ましい実施の形態をあげて本発明を説明したが、本発明は必ずしも、上記実施の形態に限定されるものでなく、その技術的思想の範囲内において様々に変形して実施することができる。
【符号の説明】
【００９８】
１：端末
１０１：データ送受信部
１０２：同報データ処理部
１０３：端末情報収集部
１０４：端末情報通知部
２０１〜２１０、２１３、２１７：基地局
３：基地局制御装置
４：移動管理装置
４０１：端末情報受信部
４０２：端末情報保存部
４０３：同報エリア制御部
４０４：同報処理部
４０５：データ転送部
４０６：指示信号受付制御部
５：ネットワーク
【図１】
2010288029.tif 000003
【図２】
2010288029.tif 000004
【図３】
2010288029.tif 000005
【図４】
2010288029.tif 000006
【図５】
2010288029.tif 000007
【図６】
2010288029.tif 000008
【図７】
2010288029.tif 000009
【図８】
2010288029.tif 000010
【図９】
2010288029.tif 000011
【図１０】
2010288029.tif 000012
【図１１】
2010288029.tif 000013
【図１２】
2010288029.tif 000014
【図１３】
2010288029.tif 000015
【図１４】
2010288029.tif 000016